(57)【特許請求の範囲】
【請求項１】
文字や記号のキャラクタ及び指令を入力するための入力手段と、入力されたキャラクタからなるテキストのデータを記憶するデータ記憶手段と、ディスプレイを含む表示手段と、印字媒体であるテープに印字する印字ヘッドを含み複数の印字色で順々に印字するためにそれぞれ異なる色のリボンを有する着脱自在の複数のリボンカセットを有する印字手段とを備えたテープ状ラベル作成装置において、
入力されたキャラクタに対して印字色を設定する印字色設定手段と、
入力されたキャラクタを自動的に更新しながら印字を行うナンバリング印字を設定するためのナンバリング設定手段と、
ナンバリング設定手段により設定されたキャラクタの更新回数を設定する回数設定手段と、
前記印字色設定手段により設定されたキャラクタの印字色と前記リボンカセットのリボン色とを比較して同一の印字色になるキャラクタを、前記回数設定手段により設定された回数分だけ更新を繰り返す印字に対し、その各回の印字が終了する毎にテープの巻き戻しと次の印字色へのリボンカセットの交換を行い、さらに前記印字色設定手段により設定されたキャラクタの印字色毎に最後の印字色になるまで前記印字を繰り返す一連の印字操作によって前記印字手段に印字させる印字制御手段とを備えたことを特徴とするテープ状ラベル作成装置。
【請求項２】
前記ナンバリング設定手段が、入力されたキャラクタのうちナンバリング印字の対象となるキャラクタを設定する対象キャラクタ設定手段を備え、
前記印字制御手段が、入力されたテキストのうちの前記対象キャラクタ設定手段により設定されたキャラクタを前記回数設定手段により設定された回数分だけ更新を繰り返しながら印字を行う一連の印字操作によって前記印字手段に印字させる更新印字制御手段と、
前記対象キャラクタ設定手段により設定されていないキャラクタを前記回数設定手段により設定された回数分だけ繰り返しながら印字を行う一連の印字操作によって前記印字手段に印字させる複写印字制御手段とを備えることを特徴とする請求項１記載のテープ状ラベル作成装置。
【請求項３】
入力されたテキストと前記回数設定手段により設定された更新回数とから印字長を演算する印字長演算手段と、
その印字長演算手段の演算結果が予め定められている所定長よりも長いときには、その旨を報知する報知手段とを備えたことを特徴とする請求項１記載のテープ状ラベル作成装置。
【請求項４】
前記印字手段が最後の印字色を印字する際に、入力されたテキストの１回の印字が完了する毎に動作する切断手段を備えたことを特徴とする請求項１記載のテープ状ラベル作成装置。
【発明の詳細な説明】
【０００１】
【発明の属する技術分野】
本発明は、本発明は、複数色印字が可能なテープ状ラベル作成装置に関し、特に入力したテキストをカウントアップ等、更新しながら多色印字を行うことで、多色印字されたラベルを複数枚作成可能なテープ状ラベル作成装置に関する。
【０００２】
【従来の技術】
従来、本願出願人は、特開平５−８４９９４号公報に記載のように、印字媒体である印字テープに文字や記号のキャラクタやマークを印字し、ファイルの背表紙に貼付するのに適したラベルを作成するのに好適なテープ状ラベル作成装置を提案し、実用化した。このラベル作成装置は、キーボード、ディスプレイ、サーマル印字方式の印字機構を備え、印字媒体としての印字テープ（例えば、テープ幅６、９、１２、１８、２４mm）に、キャラクタやマークを、種々の文字サイズや書体で印字できるように構成してある。
【０００３】
ところで、テキストを印字して作成したテープ状のラベルは、ファイルの背表紙だけに限らず、例えば、カセットテープやそのカセットテープケース、更にはビデオテープやそのビデオテープケースに貼付するのにも好適であり、印字処理と印字テープの巻き戻し操作とを繰り返すことで、収録内容やジャンルに応じて、印字文字列をカラフルに印字したテープ状のラベルを作成することが考えられる。
【０００４】
そこで、本願の発明者達は、インクリボンのリボン色を、「黒」だけでなく、「赤」や「緑」や「青」・・などの複数色とする複数種類のリボンカセットをテープカセットとは別体のものとして準備し、これらリボンカセットをテープカセットに対して着脱可能に構成するとともに、多色印字に供する印字色を、印字する一方、入力したテキストに対して、設定した複数色で印字する各印字色毎の印字対象範囲を設定する色別範囲設定処理を実行するようにし、設定した印字色と同様のリボン色を有するリボンカセットを順次取り替えるとともに、２回目以降の各印字に際して、前回の印字における印字テープの送り量だけ印字テープを巻き戻すことで、複数色でカラフルに多色印字したラベルを作成することに着想した。
【０００５】
【発明が解決しようとする課題】
ところで、テープ状ラベル作成装置には、入力したテキストの数字をカウントアップしながら印字を行うことにより、一回のテキスト入力にて複数枚のラベルを作成するナンバリング機能が備えられている。例えば、「Ｎｏ．１」と入力したテキストをナンバリング機能にて印字すると、「Ｎｏ．１」、「Ｎｏ．２」、「Ｎｏ．３」・・・と数字部分がカウントアップされたラベルが得られる。
【０００６】
しかしながら、上記の着想に係る多色印字したラベルを作成する際には、複数回リボンカセットを交換するが、上記ナンバリング機能にてラベルを複数枚作成する場合には、１回の印字に要する交換回数に作成する枚数を乗じた回数だけリボンカセットを頻繁に交換しなければならず、その交換操作が煩わしいという問題がある。
【０００７】
本発明は、上述した問題点を解決するためになされたものであり、入力されたテキストが自動的に更新されたラベルを複数枚作成する際にリボンカセットの交換回数を少なくすることができるテープ状ラベル作成装置を提供することを目的としている。
【０００８】
【課題を解決するための手段】
この目的を達成するために、請求項１記載のテープ状ラベル作成装置は、文字や記号のキャラクタ及び指令を入力するための入力手段と、入力されたキャラクタからなるテキストのデータを記憶するデータ記憶手段と、ディスプレイを含む表示手段と、印字媒体であるテープに印字する印字ヘッドを含み複数の印字色で順々に印字するためにそれぞれ異なる色のリボンを有する着脱自在の複数のリボンカセットを有する印字手段とを備えたテープ状ラベル作成装置であって、入力されたキャラクタに対して印字色を設定する印字色設定手段と、入力されたキャラクタを自動的に更新しながら印字を行うナンバリング印字を設定するためのナンバリング設定手段と、ナンバリング設定手段により設定されたキャラクタの更新回数を設定する回数設定手段と、前記印字色設定手段により設定されたキャラクタの印字色と前記リボンカセットのリボン色とを比較して同一の印字色になるキャラクタを、前記回数設定手段により設定された回数分だけ更新を繰り返す印字に対し、その各回の印字が終了する毎にテープの巻き戻しと次の印字色へのリボンカセットの交換を行い、さらに前記印字色設定手段により設定されたキャラクタの印字色毎に最後の印字色になるまで前記印字を繰り返す一連の印字操作によって前記印字手段に印字させる印字制御手段に印字させる印字制御手段とを備えている。
【０００９】
上記のように構成されたテープ状ラベル作成装置は、印字色設定手段により入力されたキャラクタに印字色を設定すると共に、ナンバリング設定手段によりナンバリング印字を設定し、更新手段により更新回数を設定すると、印字制御手段が、印字色設定手段にて同一色に設定されたキャラクタを回数設定手段により設定された回数分だけ更新を繰り返しながら一連の印字操作で印字手段に印字させる。
【００１０】
また、請求項２記載のテープ状ラベル作成装置は、請求項１記載のものと同様の構成を備えるが、ナンバリング設定手段が、入力されたキャラクタのうちナンバリング印字の対象となるキャラクタを設定する対象キャラクタ設定手段を備え、印字制御手段が、入力されたテキストのうちの対象キャラクタ設定手段により設定されたキャラクタを回数設定手段により設定された回数分だけ更新を繰り返しながら印字を行う一連の印字操作によって印字手段に印字させる更新印字制御手段と、対象キャラクタ設定手段により設定されていないキャラクタを回数設定手段により設定された回数分だけ繰り返しながら印字を行う一連の印字操作によって印字手段に印字させる複写印字制御手段とを備えている。
【００１１】
上記のように構成された請求項２に係るテープ状ラベル印字装置は、請求項１記載のものと同様の作用を奏するが、ナンバリング設定手段によりナンバリング印字を設定する際、対象キャラクタ設定手段がナンバリング印字の対象となるキャラクタを設定する。
【００１２】
そして、印字の際には、更新印字制御手段が、入力されたテキストのうちの対象キャラクタ設定手段により設定されたキャラクタを回数設定手段により設定された回数分だけ更新を繰り返しながら一連の印字操作で印字手段に印字させる。また、複写印字制御手段が、入力されたテキストのうちの対象キャラクタ設定手段により設定されていないキャラクタを回数設定手段により設定された回数分だけ繰り返しながら一連の印字操作で印字手段に印字させる。
【００１３】
また、請求項３記載のテープ状ラベル作成装置は、請求項１記載のものと同様の構成を備えるが、入力されたテキストと前記回数設定手段により設定された更新回数とから印字長を演算する印字長演算手段と、その印字長演算手段の演算結果が予め定められている設定長よりも長いときには、その旨を報知する報知手段とを備えている。
【００１４】
上記のように構成された請求項３に係るテープ状ラベル印字装置は、請求項１記載のものと同様の作用を奏するが、印字長演算手段が入力されたテキストと回数設定手段により設定された更新回数とから印字長を演算し、その演算結果が予め定められている所定長よりも長いときには、報知手段がその旨を報知する。
【００１５】
また、請求項４記載のテープ状ラベル作成装置は、請求項１記載のものと同様の構成を備えるが、印字手段が最後の印字色を印字する際に、入力されたテキストの１回の印字が完了する毎に動作する切断手段を備えている。
【００１６】
上記のように構成された請求項４に係るテープ状ラベル作成装置は、切断手段が、印字手段の最後の印字色の印字の際に、入力されたテキストの１回の印字が完了する毎に動作する。
【００１７】
【発明の実施の形態】
以下、本発明の実施の形態について図面を参照して説明する。
【００１８】
本実施形態は、文字や記号などの多数のキャラクタを印字媒体である印字テープに、リボン色の異なる複数のリボンカセットを取り換えることで、多色印字可能なテープ状ラベル作成装置に本発明を適用した場合のものである。
【００１９】
図１に示すように、テープ状ラベル作成装置１の本体カバー２の前部には、文字や記号や数字などのキャラクタキーに加えて、種々の機能キー等が設けられたキーボード４が配設され、そのキーボード４の直ぐ後側には、入力した文字や記号を表示可能な液晶ディスプレイ５が設けられるとともに、リボンカセット３０の交換時に開閉されるカセットカバー３に対応する本体カバー２の内部には、サーマルヘッド１２を備えたサーマル印字機構１０が配設されている。ここで、スライドツマミ６をスライドさせてカセットカバー３を開放でき、また切断用ノブ８５を下方に押圧操作して、印字した印字テープ２２を手動で切断できる。
【００２０】
上記キーボード４が本発明の請求項１に係る入力手段を構成し、サーマル印字機構１０が請求項１に係る印字手段を構成する。
【００２１】
次に、サーマルヘッド１２を含むサーマル印字機構１０について、図２〜図４に基づいて説明する。
【００２２】
先ず、サーマル印字機構１０に着脱可能に装着されるテープカセット２０について説明する。このテープカセット２０のテープケース２１内部には、薄膜状のフィルムからなる印字テープ２２が巻装されたテープスプール２３が回転自在に設けられ、このテープスプール２３から繰出された印字テープ２２は、複数のガイド部で湾曲状にガイドされて、サーマルヘッド１２の直前を通過して、テープ送りローラ２４によりテープ送り方向に移送されてテープカセット２０の外部に排出されるように構成されている。
【００２３】
また、図４に示すように、テープケース２１の外周壁の相離隔した２箇所には、次に説明するリボンカセット３０の着脱時に、リボンカセット３０を上下方向にガイドし、且つ、支持するための１対のガイド軸２１ａ・２１ｂの下端部が夫々一体形成されている。更に、テープケース２１には、リボンカセット３０の下側に当接して支持する１対の下端壁部２１ｃ（一方のみ図示）が夫々形成されている。
【００２４】
次に、テープカセット２０に着脱可能に装着されるリボンカセット３０について説明する。リボンカセット３０のリボンケース３１には、テープケース２１の一部分に上側から当接する上壁部３１ａが水平に延びて一体形成され、その上壁部３１ａの端部には、テープケース２１の１対のガイド軸２１ａ・２１ｂに外嵌される、貫通穴を有する１対の係合脚部３１ｂ・３１ｃが形成されるとともに、テープケース２１の切欠き部２１ｅに当接する垂直壁部３１ｄが形成されている。また、リボンカセット３０には、テープカセット２０を挿通して下方から挿入されるサーマルヘッド１２を収容するヘッド収容部３７が形成されている。
【００２５】
更に、リボンケース３１内部には、インクリボン３２が巻装されたリボンスプール３３と、このインクリボン３２を巻取るリボン巻取りスプール３４とが回転可能に設けられ、リボンスプール３３に巻装されたインクリボン３２は、サーマルヘッド１２に対向するときに印字テープ２２と一時的に平行状に接近し、リボンケース３１に一体形成された分離部材３５で略鋭角的に折曲されて、印字テープ２２から離間し、リボン巻取りスプール３４で巻き取られるように構成されている。即ち、リボンケース３１の分離部材３５は、サーマルヘッド１２のテープ送り方向下流側に位置している。そして、リボンケース３１には、これらリボンスプール３３、巻取りスプール３４、分離部材３５等を上側から支持する蓋部材３１ｅが形成されている。
【００２６】
一方、テープケース２１には、リボンカセット３０を収容する為のリボンカセット収容部２１ｆ（図４参照）が形成され、リボンケース３１の蓋部材３１ｅと上壁部３１ａとの上面には、つまみ片３１ｆ，３１ｇが夫々形成されているので、印字に際しては、先ずテープケース２１を本体カバー２に設けられた装着用凹部（図示略）に装着した後、所望の印字色のインクリボン３２を有するリボンカセット３０をテープケース２１のリボンカセット収容部２１ｆに装着することができる。このときには、先ず２本の指で１対のつまみ片３１ｆ，３１ｇを掴んだ状態で、１対の係合脚部３１ｂ・３１ｃを対応するガイド軸２１ａ，２１ｂに貫通穴を介して夫々外嵌させながら、リボンカセット３０を下方に移動させてリボンカセット収容部２１ｆに収納する。このとき、リボンケース３１の上壁部３１ａがテープカセット２０の上面に重なるとともに、リボンカセット３０の下端部は、テープケース２１の１対の下端壁部２１ｃ・２１ｄに上側から当接して、リボンカセット３０はテープケース２１に対して所定位置に保持される。
【００２７】
ところで、リボンカセット３０には、インクリボン３２のリボン色（赤、緑、黄、黒、・・・）やリボン幅（12、18、24、32mm) により、複数種類が準備されており、リボンケース３１の垂直壁部３１ｄの下端部には、これら複数種類のリボンカセット３０の何れかを検出させる為に、最大で６つの検出穴３６ａを組合せた検出用穴群３６（図４においては、１つの検出穴３６ａが形成されている）が形成されている。
【００２８】
次に、印字テープ２２とインクリボン３２とを印字方向である送り方向と、反印字方向である巻き戻し方向とに移送可能なテープ・リボン移送機構４０について、図５に基づいて説明する。
【００２９】
本体フレーム１１には、テープスプール２３の中央部に係合可能なテープ巻取りカム４１と、リボン巻取りスプール３４の中央部に係合可能なリボン巻取りカム４２と、テープ送りローラ２４の中央部に係合するテープ駆動カム４３とが回転可能に枢支され、サーマルヘッド１２が立設されるとともに、前記検出用穴群３６の６つの検出穴３６ａの有無を検出する為に、第１〜第６検出スイッチからなるリボン検出スイッチ群１０３が設けられ、これら６つの検出スイッチからのスイッチ信号の組み合わせによるリボン検出信号ＲＳが出力される。
【００３０】
更に、本体フレーム１１の前端部の右端部には、ステッピングモータからなるテープ駆動モータ４４が取付けられ、このテープ駆動モータ４４の駆動ギヤ４５に、本体フレーム１１に夫々回転可能に支持されたギヤ４６〜５３が順次噛み合い、このギヤ５３には、テープ駆動カム４３に固着されたテープ駆動ギヤ５４とギヤ５５とが噛み合っている。ここで、ギヤ４８とギヤ４９とは一体的に形成されて、リボン巻取りカム４２の下端部に固着され、またギヤ５０とギヤ５１とは一体的に形成され、更にテープ巻取りギヤ５２はテープ巻取りカム４１の下端部に固着されている。即ち、テープ駆動モータ４４の回転は、これらギヤ４５〜５４を介して、テープ駆動ギヤ５４に固着されたテープ駆動カム４３に伝達され、テープ送りローラ２４の回転により印字テープ２２が移送される。
【００３１】
一方、一体形成された両ギヤ５０，５１の隙間には、揺動レバー５６の基端部が両ギヤ５０，５１との間に適度の摩擦抵抗を付与された状態で支持され、その揺動レバー５６には、ギヤ５１に常時噛み合う遊星ギヤ５７が回転可能に枢支されている。また、ギヤ５３の枢支軸５８には、切断禁止レバー８４の基端部が、切断禁止レバー８４に支持されている巻きバネ５９の一端と基端部とで枢支軸５８を挟むように、巻きバネ５９の付勢力により押圧支持されている。
【００３２】
そして、図５に示すように、テープ駆動モータ４４が通常印字の為に、時計回転方向に駆動（正回転駆動）されて、ギヤ５０が時計回転方向に回転するときには、両者間の摩擦力によりその揺動レバー５６も時計回転方向に回動して、遊星ギヤ５７がテープ巻取りギヤ５２と噛合しないようになり、テープ巻取りカム４１がフリーになることから、テープスプール２３に巻装された印字テープ２２が繰出されると同時に、ギヤ５３が反時計回転方向に回転して、切断禁止レバー８４が反時計回転方向に回動し、切断禁止レバー８４の先端部が後述する切断用レバー８２の下側に位置して、切断動作が禁止されるとともに、リボン駆動ギヤ４５の反時計回転方向への回転によりリボン巻取りカム４２がクラッチバネ６０を介して反時計回転方向へ回転して、インクリボン３２がリボン巻取りスプール３４に巻取られる。
【００３３】
ところで、ゴム製のプラテンローラ６５とテープ送りサブローラ６６とを回転可能に支持するローラホルダ６７は、本体フレーム１１に立設された枢支軸６８に回動可能に枢支され、カセットカバー３の開閉に連動してリリースレバー７１が左右方向に移動して、図５に示す印字位置と、図６に示すリリース位置とに亙って位置切換えされる。ここで、そのローラホルダ６７は、図示外の巻きバネにより常にリリース位置に弾性付勢されている。
【００３４】
即ち、リリースレバー７１に枢着したコロ７２が本体フレーム１１の立設壁１１ａに当接するとともに、リリースレバー７１の一端部がローラホルダ６７に後側から当接しているので、リリースレバー７１が図６に示す退避位置から図５に示す作動位置まで左方移動したときには、リリースレバー７１の左端部がローラホルダ６７と立設壁１１ａとの間にクサビ状に侵入して、ローラホルダ６７はリリース位置から印字位置に切換えられる。このとき、プラテンローラ６５は印字テープ２２とインクリボン３２とを介してサーマルヘッド１２を押圧するとともに、テープ送りサブローラ６６は印字テープ２２を介してテープ送りローラ２４を押圧している。
【００３５】
ここで、ローラホルダ６７が印字位置に切換えられたときには、プラテンローラ６５の下端部に固着したプラテンギヤ（図示略）がギヤ５５に噛合するとともに、またテープ送りサブローラ６６の下端部に固着したサブローラギヤ（図示略）がテープ駆動ギヤ５４に噛合する。
【００３６】
次に、リリースレバー７１を右方向に駆動して、ローラホルダ６７をサーマルヘッド１２に対してリリース位置に切換えてリリースさせるヘッドリリース機構７０について、図５、図６に基づいて説明する。
【００３７】
リリースレバー７１の右端部は、本体フレーム１１に回動可能に枢着した二股レバー７６の一方のレバーに回動可能に枢支されるとともに、その二股レバー７６の他方のレバーには、本体フレーム１１の右端部の下側に配設された作動板７４の前端部に固着したピン７７を介して連結されている。前記作動板７４の後端部には、前記カセットカバー３に係合する係合ピン７５が固着されている。
【００３８】
そして、カセットカバー３が閉じているとき、つまりローラホルダ６７が図５に示す印字位置のときに、カセットカバー３を開放したときには、その動きに連動してカセットカバー３に係合する係合ピン７５が後方に移動するので、作動板７４が後方に移動し、二股レバー７６が反時計回転方向に回動して、リリースレバー７１が右方に移動するのに応動して、ローラホルダ６７がリリース位置に切換えられる。このとき、作動板７４が後方に移動したときに、カバー開閉検出スイッチ１０２（図７参照）から「Ｈ」レベルのカバー開閉信号ＶＳが出力される。
【００３９】
また、カセットカバー３を開放しているとき、つまりローラホルダ６７が図６に示すリリース位置のときに、カセットカバー３を閉じたときには、その動きに連動して係合ピン７５が前方に移動するので、作動板７４が前方に移動し、二股レバー７６が図６に示す位置から時計回転方向に回動して、リリースレバー７１が左方に移動するのに応動して、ローラホルダ６７が印字位置、つまり非リリース状態に切換えられる。
【００４０】
そして、図２、図５に示すように、印字を実行する際には、先ずテープカセット２０をサーマル印字機構１０に装着した上で、このテープカセット２０にリボンカセット３０が装着され、カセットカバー３を閉じたときには、ローラホルダ６７が印字位置に切換えられている。
【００４１】
そして、この状態で、テープ駆動モータ４４が通常印字方向に正回転駆動されたときには、これらギヤ４５〜５５が夫々所定の回転方向に駆動され、プラテンローラ６５とテープ送りサブローラ６６とが夫々反時計回転方向に回転されるとともに、テープ送りサブローラ６６とテープ送りローラ２４とが同期して回転するので、印字テープ２２は、サーマルヘッド１２で印字されながら、テープ切断機構８０とテープ検出機構９０とを通過して外部に排出される。このとき、テープ巻取りカム４１がフリーになることから、テープスプール２３に巻装された印字テープ２２が抵抗なく順次繰出される。
【００４２】
これと同時に、インクリボン３２は、プラテンローラ６５の回転により印字テープ２２と同期してリボンスプール３３から繰出され、リボン巻取りギヤ４８の回転によりリボン巻取りカム４２が回転され、リボン巻取りカム４２に係合して回転するリボン巻取りスプール３４に巻き取られる。
【００４３】
一方、１色目の印字が終了して２色目印字を実行する際には、先ずカセットカバー３を開放して、リボンカセット３０が取り外されたときには、ローラホルダ６７はヘッドリリース機構７０によりリリース位置に切換えられている。そして、テープ駆動モータ４４が反時計回転方向（巻き戻し方向）に逆回転駆動されたときには、図３・図６に示すように、これらギヤ４５〜５５が夫々所定の回転方向に駆動される。このとき、ギヤ５０の反時計回転方向への回転により、揺動レバー５６も反時計回転方向に回動して、遊星ギヤ５７がテープ巻取りギヤ５２と噛合するようになり、テープ巻取りカム４１が反時計回転方向に回転して、印字された印字テープ２２がテープスプール２３に巻取られる。ここで、リボン巻取りギヤ４８が時計回転方向に回転駆動されるが、リボンカセット３０が取り外されているので、リボン巻取りスプール３４に巻取られたインクリボン３２の繰出しはない。
【００４４】
次に、印字された印字テープ２２を切断するテープ切断機構８０について説明する。
【００４５】
本体フレーム１１の左端部が部分的に下方に曲げられた左端壁には、固定刃の下端部が固着され、側面視略Ｌ字状の切断用レバー８２の基端部がビスで回動可能に枢支され、その切断用レバー８２には可動刃が形成されている。ここで、印字中には、図５に示すように、ギヤ５３が反時計回転方向に回転して、切断禁止レバー８４の先端部が切断用レバー８２の下側に移動して、切断動作が禁止されている。
【００４６】
しかし、印字終了時に、テープ駆動モータ４４が少しだけ巻き戻し方向に回転されたときには、ギヤ５３が時計回転方向に少しだけ回転して、切断禁止レバー８４の先端部が切断用レバー８２の下側から外れて切断動作が可能になったときに、切断用レバー８２の先端部の切断用ノブ８５を下方向に押圧操作したときには、可動刃が固定刃に向かって回動し、固定刃と可動刃との間に位置する印字テープ２２が、これら両刃の協働により切断される。このとき、本体フレーム１１に取付けられた切断検出スイッチ１０１（図７参照）は、切断用レバー８２に取付けた作動部材により作動して切断検出信号ＣＳを出力する。そして、切断用レバー８２の押圧操作を停止すると、切断用レバー８２は、図示外のバネによる付勢力により、元の所定位置に復帰回動する。
【００４７】
次に、そのテープ切断機構８０よりも外側に設けられ、印字テープ２２の有無を検出するテープ検出機構９０について、図２に基づいて説明する。
【００４８】
テープ切断機構８０よりも外側の本体カバー２には、１対のセンサ収容室９６・９７を密閉状に形成する為に案内部材９４，９５が一体的に形成され、一方のセンサ収容室９６には発光素子９２が取付けられるとともに、他方のセンサ収容室９７には受光素子９３が取付けられている。これら１対の案内部材９４，９５の間には、印字テープ２２が通過可能なスリット９８が形成されるとともに、１対の案内部材９４，９５の相対向する部位には、小径の光通過穴９４ａ・９５ａが形成されるとともに、傾斜したガイド部９９が夫々形成されて、テープ切断機構８０を通過した印字テープ２２の先端部をこのガイド部９９でガイドすることで、確実にスリット９８を通過して検出可能になっている。
【００４９】
そして、発光素子９２から発射されたセンサ光が、各センサ収容室９６・９７に形成された光通過穴９４ａ・９５ａを通過して、受光素子９３に投射される。即ち、印字テープ２２が、テープ検出センサ９１に進入し、その発光素子９２と受光素子９３との間に存在するときだけ、そのセンサ光が遮断されることから、テープ検出センサ９１からは、「Ｌ」レベルのテープ検出信号ＴＳが出力される。
【００５０】
次に、テープ状ラベル作成装置１の制御系は、図７のブロック図に示すように構成されている。
【００５１】
制御装置ＣＤの入出力インターフェース１１３には、キーボード４と、テープ検出センサ９１と、切断検出スイッチ１０１と、カバー開閉検出スイッチ１０２と、リボン検出スイッチ群１０３と、液晶ディスプレイ（ＬＣＤ）５に表示データを出力する為のビデオＲＡＭを有するディスプレイコントローラ（ＬＣＤＣ）１０４と、警告用ブザー１０５の為の駆動回路１０６と、サーマルヘッド１２を駆動する為の駆動回路１０７と、テープ駆動モータ４４の為の駆動回路１０８とが夫々接続されている。尚、上記液晶ディスプレイ５とディスプレイコントローラ１０４とにより本発明の請求項１に係る表示手段が構成される。
【００５２】
制御装置ＣＤは、ＣＰＵ１１０と、このＣＰＵ１１０にデータバス等のバス１１４を介して接続された入出力インターフェース１１３と、フォントＲＯＭ１１１と、ＲＯＭ１１２及びＲＡＭ１２０とから構成されている。
【００５３】
フォントＲＯＭ１１１には、文字や記号等の多数のキャラクタの各々に関して、印字用ドットパターンデータ及びその幅データが、複数の印字文字サイズ分格納されている。
【００５４】
前記ＲＯＭ１１２には、テキストメモリ１２１に格納された文字や記号について、表示や印字に供するドットパターンデータを作成する印字制御プログラムや、作成されたドットパターンデータについて、１ドット列毎のドットパターンデータを順次サーマルヘッド１２やテープ駆動モータ４４に出力して印字する印字駆動制御プログラム、本願特有の後述の印字テープ作成処理制御の制御プログラム等が格納されている。尚、ＲＯＭ１１２には、第１〜第６検出スイッチからなるリボン検出スイッチ群１０３から出力されるリボン検出信号ＲＳに基づいて、インクリボン３２のリボン色とリボン幅とを検知するリボンカセット検知テーブルが格納されている。
【００５５】
前記ＲＡＭ１２０のテキストメモリ１２１には、キーボード４から入力された文字や記号からなるテキストのデータが、設定された印字色のデータを対応づけて格納される。このテキストメモリ１２１により本発明のデータ記憶手段が構成される。
【００５６】
また、ＲＡＭ１２０の色数メモリ１２２には、設定された印字色の色数データが格納される。印字色順序メモリ１２３には、設定された印字色の色順序のデータが格納される。余白量メモリ１２４には、設定された同一の前余白量と後余白量とに関する余白量データが格納される。印字データバッファ１２５には、そのテキストメモリ１２１に格納されたキャラクタコードに対応するドットパターンデータが展開して格納される。ナンバリングメモリ１２６には、入力されたテキストが印字されたラベルの作成枚数が格納される。更に、ＲＡＭ１２０には、ナンバリング設定時にセットされるナンバリングフラグ等の各種フラグを格納するフラグメモリや、ＣＰＵ１１０で演算した演算結果を一時的に格納するメモリ等が設けられている。
【００５７】
尚、上記テキストメモリ１２１により本発明のデータ記憶手段が構成され、ファイルメモリ１２７により本発明のファイル記憶手段が構成される。
【００５８】
次に、テープ状ラベル作成装置１の制御装置ＣＤで行なわれる、テープ作成制御のルーチンについて、図８〜図２１のフローチャートに基づいて説明する。尚、図中符号Ｓｉ（ｉ＝１０、１１、１２・・・）は各ステップである。
【００５９】
ここで、テープ作成制御に先立って、図２２に基づいて、テープ検出センサ９１によるテープ検出位置と、テープ切断機構８０によるテープ切断位置と、サーマルヘッド１２による印字位置との位置関係について説明すると、印字テープ２２の送り方向Ｔにおいて、送り方向Ｔの上流側から印字位置（Ｐ位置）、テープ切断位置（Ｃ位置）テープ検出位置（Ｓ位置）の順となり、印字位置とテープ切断位置との印字・切断間距離Ｄｃｐは約２５mmであり、テープ切断位置とテープ検出位置との切断・検出間距離Ｄｓｃは約１５mmである。また、分離部材３５の分離部３５ａによる分離位置（Ｂ位置）は、送り方向Ｔにおいて印字位置よりも約６mmだけ下流側に位置している。
【００６０】
このテープ状ラベル作成装置１に電源が投入されると、先ずサーマル印字機構１０や制御装置ＣＤを初期化する初期化処理が実行され（Ｓ10）、ディスプレイ５にテキスト入力画面が表示され、キー入力が待たれる（Ｓ11）。
【００６１】
キーボード４の文字や記号等を入力するためのキャラクタキーを含むテキスト作成キーが操作されると（Ｓ11・Ｓ12：Yes ）、テキストのデータを入力する入力処理やその入力されたテキストを表示する表示処理が実行され、入力されたテキストデータはテキストメモリ１２１に格納される（Ｓ13）。例えば、図２３に示すように、入力されたテキストデータ「部品  Ａ  Ｎｏ．１」がテキストメモリ１２１に格納される。そして、Ｓ11にリターンする。
【００６２】
キーボード４に設けられた色設定キーが操作されると（Ｓ11：Yes 、Ｓ12：No、Ｓ14：Yes ）、印字色順序設定処理制御（図９参照）が実行される（Ｓ15）。この制御が開始されると、メッセージ「印字色数は？」がディスプレイ５に表示されるので、数字キーを操作して色数Ｎを設定する色数設定処理が実行され、その設定された色数Ｎが色数メモリ１２２に格納される（Ｓ30）。
【００６３】
次に、複数の色の名前がディスプレイ５に表示されるので、印字に供する色の順序を順次設定する色順序設定処理が実行され、設定された色順序のデータが印字色順序メモリ１２３に格納され（Ｓ31）、この制御を終了して、テープ作成制御のＳ16にリターンする。
【００６４】
次に、テープ作成制御において、色毎の印字対象範囲設定処理制御（図１０参照）が実行される（Ｓ16）。尚、制御装置ＣＤが色毎の印字対象範囲設定処理制御を実行することにより本発明の印字色設定手段が構成される。
【００６５】
この制御が開始されると、先ず色数カウンタのカウント値Ｉに色数Ｎがセットされ（Ｓ33）、この色数カウント値Ｉから「１」を減算して「０」でないとき、つまり最終の印字色の対象文字列の設定でないときには（Ｓ34：No）、色順序のデータに基づいて、未設定色のうち印字色順序における先頭印字色について、印字対象となる文字や記号の各々をカーソルで指示して設定する印字対象文字列設定処理が実行される（Ｓ35）。
【００６６】
即ち、この印字対象文字列設定処理においては、テキストデータがディスプレイ５に表示されるので、キーボード４の右端に配置されている４つのカーソル移動キーを操作して、最終の印字色以外の各印字色について、印字対象となる文字や記号の各々をカーソル移動キーを操作してカーソルで指示すると共に、その都度色確定キーを操作し、印字対象文字列の設定終了時には、確定キーが操作される。この確定キーの操作により、カーソル移動キーと色確定キーとの操作により指示された文字の文字データに付随させて、設定された色データがテキストメモリ１２１に記憶される。
【００６７】
そして、色数カウント値Ｉが１つデクリメントされ（Ｓ36）、（Ｉ−１）が「０」になるまで、Ｓ34〜Ｓ36が繰り返して実行される。そして、（Ｉ−１）が「０」になって、最終の印字色以外の各印字色について、印字対象文字列の設定が完了したときには（Ｓ34：Yes ）、最終の印字色について、テキストデータのうち、既に設定された文字や記号を除く残りの文字を設定する文字列設定処理が実行される（Ｓ37）。
【００６８】
この文字列設定処理を図１１に基づいて具体的に説明すると、先ず、テキストメモリ１２１に記憶されている文字データが先頭から読み出され（Ｓ371 ）、色データが付随しているか否かが判断される（Ｓ372 ）。読み出された文字データに色データが付随しており（Ｓ372 ：Yes ）、その文字データが最後の文字データでなければ（Ｓ373 ：No）、次のデータが読み出され（Ｓ374 ）、前記Ｓ372の処理が再度実行される。一方、読み出された文字データに色データが付随していなければ（Ｓ372 ：No）、その文字データに対して、最終の印字色に対応する色データが付随して記憶され（Ｓ375 ）、前記Ｓ373 の処理が実行される。上記各処理が、テキストメモリ１２１に記憶されている最後の文字データまで繰り返し実行され、前記Ｓ373 において、最後の文字データであると判断されると（Ｓ373 ：Yes ）、図１０のＳ38へリターンする。
【００６９】
例えば、テキストメモリ１２１に文字データ「部品  Ａ  Ｎｏ．１」が記憶され、色数３、色順序「黒」「赤」「緑」が設定されていると、Ｓ35の印字対象文字列設定処理において、先ず、印字色「黒」については、カーソルキーと色確定キーの操作により文字列「部品」、「Ｎｏ．」が設定され、図２２に示すように、テキストメモリ１２１の文字データ「部」、「品」、「Ｎ」、「ｏ」、「．」に付随して色データ「黒」が記憶され、次に印字色「赤」について文字列「１」が設定されると、テキストメモリ１２１の文字データ「１」に付随して色データ「赤」が記憶される。
【００７０】
ここで、印字色「緑」の設定が終了すると、色数カウント値（Ｉ−１）が「０」となるので、Ｓ37の文字列設定処理において、テキストメモリ１２１の先頭から順次文字データが読み出され、テキストデータの印字色が未設定の文字列「Ａ」に対して最終の印字色「緑」が自動的に設定され、テキストメモリ１２１の文字データ「Ａ」に付随して色データ「緑」が記憶される。
【００７１】
次に、ディスプレイ５にメッセージ「印字テープの余白量は？」が表示されるので、数字キーを操作して所望の余白量が設定されると、その設定された余白量が余白量メモリ１２４に記憶され（Ｓ38）、この制御を終了して、テープ作成制御のＳ11にリターンする。
【００７２】
テープ作成制御のＳ11において、キーボード４に設けられたナンバリングキーが操作されると（Ｓ11：Yes 、Ｓ12・Ｓ14：No、Ｓ17：Yes ）、ナンバリング設定処理制御（図１２参照）が実行される（Ｓ18）。
【００７３】
この制御が開始されると、先ず、前記カーソル移動キーとキーボードに設けられた実行キーとを操作して、テキストメモリ１２１に記憶されているキャラクタのうちのナンバリングの対象とする数字を表すキャラクタの選択設定を行う対象文字設定処理が実行される（Ｓ40）。
【００７４】
具体的には、テキストメモリ１２１に文字データ「部品  Ａ  Ｎｏ．１」が記憶されているとき、ディスプレイ５に各文字と共にカーソルが表示されるので、カーソル移動キーをして、カーソルを所望の数字「１」に移動させ、実行キーを２度操作することにより、その数字「１」がナンバリングの対象として選択設定され、図２３に示すように、テキストメモリ１２１において、その数字「１」の文字データの前後にナンバリング開始コードＮＳとナンバリング終了コードＮＥが挿入される。尚、２桁以上の数字、例えば「１０」をナンバリング対象として設定する場合には、カーソルを「１」に移動させて実行キーを操作し、次にカーソルを「０」に移動させて実行キーを操作する。すると、テキストメモリ１２１において、「１」に文字コードの前にナンバリング開始コードＮＳが、「０」の文字コードの後にナンバリング終了コードＮＥが夫々挿入される。
【００７５】
次に、ナンバリング印字による印字枚数（以下、ナンバリング数ＮＮと称する）を設定するナンバリング数ＮＮの入力処理制御が実行される（Ｓ41）。この制御が開始されると、先ずディスプレイ５に「枚数は」という入力を促すメッセージが表示されると共にブロックカーソルが表示される。そこで、使用者は、ナンバリング数ＮＮを数字キーを使用して入力し、次に、実行キーを操作して、そのナンバリング数ＮＮを設定する。例えば、数字キーを操作して「５」または「１０」と入力し、実行キーを操作すると、ナンバリング数ＮＮとして５枚または１０枚が設定される。
【００７６】
次に、テキストメモリ１２１に記憶されているテキストと、設定されたナンバリング数ＮＮとから、そのテキストをナンバリング数ＮＮだけ印字した場合の全印字長ＰＬが演算される（Ｓ42）。この全印字長ＰＬがＲＯＭ１１２に予め格納されている所定長Ｍならば（Ｓ43：Yes ）、設定されたナンバリング数ＮＮがナンバリングメモリ１２６に格納され、ナンバリングフラグＮＦが「１」にセットされ（Ｓ45）、このナンバリング設定処理制御が終了して、テープ作成制御のＳ11にリターンする。
【００７７】
一方、全印字長ＰＬがＲＯＭ１１２に所定長Ｍよりも長いときには（Ｓ43：No）、設定したナンバリング数ＮＮが大きいことを報知するために、その旨を表すエラーメッセージがディスプレイ５に表示されると共に警報ブザー１０５が鳴動する（Ｓ46）。そして、設定されたナンバリング数ＮＮがデクリメントされ（Ｓ47）、このデクリメントされたナンバリング数ＮＮを用いて、前記Ｓ42と同様に全印字長ＰＬが演算され（Ｓ48）、この全印字長ＰＬが所定長Ｍ以下となるまで前記Ｓ47〜Ｓ49が繰り返し実行される（Ｓ49：No）。ナンバリング数ＮＮのデクリメントにより全印字長ＰＬが所定長Ｍ以下となると（Ｓ49：Yes ）、「印字可能枚数」というメッセージと共にデクリメントされたナンバリング数ＮＮが表示される確認メッセージがディスプレイ５に表示される（Ｓ50）。
【００７８】
そして、この確認メッセージが表示されているときに、使用者が表示されているナンバリング数ＮＮでナンバリング印字を行うために実行キーを操作すると（Ｓ51・Ｓ52：Yes ）、前記Ｓ44が実行され、デクリメントされたナンバリング数ＮＮがナンバリングメモリ１２６に格納される。一方、使用者が表示されているナンバリング数ＮＮではナンバリング印字を行わず、新たにナンバリング数ＮＮを設定すべく実行キー以外のキーを操作すると（Ｓ51：Yes 、Ｓ52：No）、前記Ｓ41以降が実行される。
【００７９】
尚、Ｓ42、Ｓ43、Ｓ46〜Ｓ52の処理において、一連の印字動作による印字長ＰＬを所定長Ｍ以下に設定しているが、これは、多色印字においては、一連の印字動作における印字長が長くなると、印字テープ２２が移送されている最中に、印字テープ２２と各ローラ２４、６５、６６との間に発生する微少の滑りが蓄積され、その蓄積された滑りにより色毎の印字位置にずれが発生することがあるためである。そこで、本テープ状ラベル作成装置１では、上記のように一連の印字動作による印字長ＰＬを所定長Ｍ以下に設定することにより、上述したずれの発生を防止することができる。
【００８０】
尚、制御装置ＣＤが、テープ作成制御のＳ17、Ｓ18を実行することにより本発明のナンバリング設定手段が構成され、ナンバリング設定処理制御のＳ41を実行することにより本発明の回数設定手段が構成され、Ｓ40を実行することにより請求項２に係る対象キャラクタ設定手段が構成され、Ｓ42を実行することにより請求項３に係る印字長演算手段が構成され、Ｓ50を実行することにより請求項３に係る報知手段が構成される。
【００８１】
テープ作成制御のＳ11において、印字キーが操作されると（Ｓ11：Yes 、Ｓ12・Ｓ14・Ｓ17：No、Ｓ19：Yes ）、後述する印字処理制御が実行される（Ｓ20）が、テキスト作成キー、色設定キー、ファイルキー、印字キー以外のキーが操作されるとその操作されたキーに応じた処理が実行される（Ｓ21）。この処理においては、例えば、文字サイズや文字種等を設定する書式設定が実行される。
【００８２】
次に、印字処理制御（図１３参照）について説明する。尚、制御装置ＣＤがこの印字処理制御を実行することにより本発明の印字制御手段が構成される。
【００８３】
この制御が開始されると、先ず印字開始処理制御（図１４参照）が実行される（Ｓ60）。この制御が開始されると、先ずリボン検出スイッチ群１０３からのリボン検出信号ＲＳに基づいて、装着されたリボンカセット３０のリボン色Ｒが読み込まれ（Ｓ70）、印字色順序の先頭印字色Ｃが読み込まれ（Ｓ71）、リボン色Ｒと先頭印字色Ｃとが一致しないときは（Ｓ72：No）、印字色の不一致を知らせるエラーメッセージがディスプレイ５に表示される（Ｓ73）。
【００８４】
次に、カバー開閉検出スイッチ１０２のカバー開閉信号ＶＳに基づいて、カセットカバー３が開放されてリボンカセット３０の交換後、再度カセットカバー３が閉じられたときには（Ｓ74：Yes ）、Ｓ70〜Ｓ71が実行される。そして、リボン色Ｒと先頭印字色Ｃとが一致したときには（Ｓ72：Yes ）、先頭印字色Ｃのデータを付随して記憶した文字列がテキストメモリ１２１から読み出され、更にその文字列のドットパターンデータが印字データバッファ１２５に展開される（Ｓ75）。次に、テープ検出センサ９１からのテープ検出信号ＴＳが読み込まれ、テープ検出信号ＴＳが「Ｌ」レベルであり、テープ検出センサ９１に対応して印字テープ２２が位置しているときには（Ｓ76：Yes ）、印字テープの切断を促すメッセージがディスプレイ５に表示される（Ｓ77）。
【００８５】
次に、切断用ノブ８５を押圧操作して印字テープ２２が切断され、切断検出スイッチ１０１からの切断検出信号ＣＳが「Ｈ」レベルになり（Ｓ78）、テープ検出信号ＴＳが「Ｈ」レベルになって、テープ切断が検出されたときには（Ｓ76：No）、印字テープ２２の先端をテープ検出センサ９１に進入させる為に、テープ駆動モータ４４が１ステップだけ正回転（時計回転方向）駆動して印字テープ２２が微小距離だけ送り方向Ｔに移送され（Ｓ79）、テープ検出信号ＴＳが「Ｈ」レベルのときには（Ｓ80：No）、Ｓ79〜Ｓ80が繰り返して実行される。
【００８６】
そして、テープ検出信号ＴＳが「Ｌ」レベルになり、印字テープ２２の先端テープ検出センサ９１に進入したときには（Ｓ80：Yes ）、この制御を終了して、印字処理制御のＳ61にリターンする。このとき、テープ先端を検出した時の印字テープ２２に対するサーマルヘッド１２の印字位置が印字開始基準原点位置に設定される。ここで、印字テープ２２を送り方向Ｔに移送するときに、印字テープ２２の先端部がカールしているときでも、１対の案内部材９４，９５に形成されたガイド部９９により、印字テープ２２の先端部を確実にスリット９８に案内できる。
【００８７】
次に、印字制御において、色数Ｎが「１」でないとき、つまり最終回の印字でないときには（Ｓ61：No）、設定した各印字色で印字する設定色印字処理制御（図１５参照）が実行される（Ｓ62）。
【００８８】
この制御が開始されると、先ず印字開始処理制御（図１４参照）が実行される（Ｓ60）。この制御が開始されると、先ずリボン検出スイッチ群１０３からのリボン検出信号ＲＳに基づいて、装着されたリボンカセット３０のリボン色Ｒが読み込まれ（Ｓ70）、印字色順序の先頭印字色Ｃが読み込まれ（Ｓ71）、リボン色Ｒと先頭印字色Ｃとが一致しないときは（Ｓ72：No）、印字色の不一致を知らせるエラーメッセージがディスプレイ５に表示される（Ｓ73）。
【００８９】
次に、カバー開閉検出スイッチ１０２のカバー開閉信号ＶＳに基づいて、カセットカバー３が開放されてリボンカセット３０の交換後、再度カセットカバー３が閉じられたときには（Ｓ74：Yes ）、Ｓ70〜Ｓ71が実行される。そして、リボン色Ｒと先頭印字色Ｃとが一致したときには（Ｓ72：Yes ）、先頭印字色Ｃのデータを付随して記憶した文字列がテキストメモリ１２１から読み出され、更にその文字列のドットパターンデータが印字データバッファ１２５に展開される（Ｓ75）。次に、テープ検出センサ９１からのテープ検出信号ＴＳが読み込まれ、テープ検出信号ＴＳが「Ｌ」レベルであり、テープ検出センサ９１に対応して印字テープ２２が位置しているときには（Ｓ76：Yes ）、印字テープの切断を促すメッセージがディスプレイ５に表示される（Ｓ77）。
【００９０】
次に、切断用ノブ８５を押圧操作して印字テープ２２が切断され、切断検出スイッチ１０１からの切断検出信号ＣＳが「Ｈ」レベルになり（Ｓ78）、テープ検出信号ＴＳが「Ｈ」レベルになって、テープ切断が検出されたときには（Ｓ76：No）、印字テープ２２の先端をテープ検出センサ９１に進入させる為に、テープ駆動モータ４４が１ステップだけ正回転（時計回転方向）駆動して印字テープ２２が微小距離だけ送り方向Ｔに移送され（Ｓ79）、テープ検出信号ＴＳが「Ｈ」レベルのときには（Ｓ80：No）、Ｓ79〜Ｓ80が繰り返して実行される。
【００９１】
そして、テープ検出信号ＴＳが「Ｌ」レベルになり、印字テープ２２の先端テープ検出センサ９１に進入したときには（Ｓ80：Yes ）、この制御を終了して、印字処理制御のＳ61にリターンする。このとき、テープ先端を検出した時の印字テープ２２に対するサーマルヘッド１２の印字位置が印字開始基準原点位置に設定される。ここで、印字テープ２２を送り方向Ｔに移送するときに、印字テープ２２の先端部がカールしているときでも、１対の案内部材９４，９５に形成されたガイド部９９により、印字テープ２２の先端部を確実にスリット９８に案内できる。
【００９２】
次に、印字処理制御において、色数Ｎが「１」でないとき、つまり最終回の印字でないときには（Ｓ61：No）、設定色印字処理（図１５参照）が実行される（Ｓ62）。
【００９３】
この制御が開始されると、先ず、設定した余白量Ｌに対応する前余白量Ｌだけ印字テープ２２を移送する為に、テープ駆動モータ４４が正回転駆動される（Ｓ81）。そして、印字データバッファ１２５に展開されているドットパターンデータが読み出されて、サーマルヘッド１２やテープ駆動モータ４４を駆動してドットパターンデータを印字する処理が実行される（Ｓ82）。
【００９４】
次に、ナンバリングフラグＮＦがリセット（そのフラグデータが「０」である）されているならば（Ｓ83：No）、即ち、入力されたテキストにナンバリング印字が設定されていないならば、この設定色印字処理制御を終了して印字処理制御のＳ63へリターンする。
【００９５】
一方、ナンバリングフラグＮＦが「１」にセット、即ち、入力されたテキストにナンバリング印字が設定されているならば（Ｓ83：Yes ）、プリントカウンタＰＫのカウント値が「１」にセットされる（Ｓ84）。そして、このプリントカウンタＰＫのカウント数がナンバリングメモリ１２７に格納されているナンバリング数ＮＮと一致しておらず（Ｓ85：No）、テキストメモリ１２１に格納されているテキストデータにおいて、現在印字している印字色の設定されている文字列のデータがナンバリング開始コード及びナンバリング終了コードに挟まれており、ナンバリングの対象となっている文字列であるならば（Ｓ86：Yes ）、テキストメモリ１２１において、その文字データをカウントアップされた文字のデータに変更するカウントアップ処理が実行される（Ｓ87）。
【００９６】
例えば、現在印字している印字色が赤であり、図２３に示すように、その赤色が設定されている文字が「１」である場合、この文字「１」のデータはナンバリング開始コード及びナンバリング終了コードに挟まれているので、前記カウントアップ処理により、このデータが文字「１」をカウントアップした文字「２」のデータに変更される。
【００９７】
次に、このカウントアップ処理された文字列がテキストメモリ１２１から読み出され、更にその文字列のドットパターンデータが印字データバッファ１２５に展開される（Ｓ88）。そして、前記Ｓ82において印字した文字列を含むテキストに対する後余白量Ｌとカウントアップされた文字列を含むテキストに対する前余白量Ｌと設けるために、設定された余白量Ｌの２倍だけ印字テープ２２を移送すべく、テープ駆動モータ４４が正回転駆動され（Ｓ89）、前記Ｓ82と同様に、印字データバッファ１２５に展開されているドットパターンデータが読み出されて印字される（Ｓ90）。その後、プリントカウンタＰＫのカウント値がインクリメントされ（Ｓ91）、前記Ｓ85にリターンする。
【００９８】
一方、Ｓ86において、現在印字している印字色の設定されている文字列のデータがナンバリング開始コード及びナンバリング終了コードに挟まれておらず、ナンバリングの対象となっていない文字列であるならば（Ｓ86：No）、前記Ｓ89以降が実行される。
【００９９】
このように、ナンバリングの対象となっていない文字列を印字する際には、Ｓ87のカウントアップ処理が実行されないので、同じ文字列がナンバリング数ＮＮだけ印字されることとなる。例えば、図２３に示すように、黒色が設定されている文字列「部品」及び「Ｎｏ．」はナンバリングの対象となっていないので、設定されたナンバリング数だけ印字テープ２２の長手方向に連続して印字されることとなる。
【０１００】
プリントカウンタＰＫのカウント値がナンバリングメモリ１２７に格納されているナンバリング数ＮＮと一致するまで、前記Ｓ87〜Ｓ91の処理が繰り返し実行されるが、一致すると（Ｓ85：Yes ）、この設定色印字処理制御を終了して印字処理制御のＳ63へリターンする。
【０１０１】
次に、印字処理制御において、印字テープ巻き戻し処理制御（図１６参照）が実行される（Ｓ63）。この制御が開始されると、先ずテープ駆動モータ４４が正回転駆動されて、印字位置（Ｐ位置）と分離位置（Ｂ位置）との距離Ｄｂｐに対応する分離送り量Ｄｂｐだけ印字テープ２２とインクリボン３２とが送り方向Ｔに移送される（Ｓ100 ）。即ち、サーマルヘッド１２により印字された最終印字箇所においては、インクリボン３２のインクが印字テープ２２に融着した状態であるが、その分離送り量Ｄｂｐだけ印字テープ２２とインクリボン３２とが移送されることで、インクリボン３２が分離部３５ａにより強制的に印字テープ２２から引き離されるので、印字テープ２２とインクリボン３２とが確実に分離している。
【０１０２】
次に、次の印字色と同様のリボン色のインクリボン３２を有するリボンカセット３０に交換する為に、リボンカセット３０の取り外しを促すメッセージがディスプレイ５に表示される（Ｓ101 ）。そして、先ずカセットカバー３が開放されることで作動板７４が後方に移動して、カバー開閉検出スイッチ１０２から「Ｈ」レベルのカバー開閉信号ＶＳが出力され（Ｓ102 ：Yes ）、更にリボン検出スイッチ群１０３からのリボン検出信号ＲＳとして、６つの検出スイッチ信号の全てが「Ｈ」レベル信号になり、リボンカセット３０が取り外されたときには（Ｓ103 ：Yes ）、リボンカセット３０を装着しないように促すメッセージがディスプレイ５に表示される（Ｓ104 ）。
【０１０３】
次に、印字テープ２２を巻き戻す為に、テープ駆動モータ４４が１ステップだけ逆回転（反時計回転方向）駆動して印字テープ２２が微小距離だけ巻き戻し方向に移送され（Ｓ105 ）、テープ検出信号ＴＳが「Ｈ」レベルのときには（Ｓ106 ：No）、Ｓ104 〜Ｓ106 が繰り返して実行される。そして、印字テープ２２の先端がテープ検出センサ９１よりも若干内側まで巻き戻しされたときには（Ｓ106 ：Yes ）、テープ駆動モータ４４の逆回転駆動が停止され（Ｓ107 ）、この制御を終了して、印字処理制御のＳ64にリターンする。
【０１０４】
次に、印字処理制御において、印字開始位置合せ処理制御（図１７参照）が実行される（Ｓ64）。
【０１０５】
この制御が開始されると、先ず次の印字色と同様のリボン色のインクリボン３２を有するリボンカセット３０の装着を促すエラーメッセージがディスプレイ５に表示される（Ｓ110 ）。そして、リボン検出信号ＲＳとして、６つのスイッチ信号の全てが「Ｈ」レベル信号でなく、リボンカセット３０が装着されたときには（Ｓ111 ：Yes ）、リボン検出信号ＲＳに基づいて、装着されたリボンカセット３０のリボン色Ｒが読み込まれ（Ｓ112 ）、印字色順序の次の印字色Ｃが読み込まれ（Ｓ113 ）、リボン色Ｒと次の印字色Ｃとが一致しないときは（Ｓ114 ：No）、Ｓ110 〜Ｓ114 が繰り返して実行される。
【０１０６】
次に、リボン色Ｒと次の印字色Ｃとが一致したときには（Ｓ114 ：Yes ）、次の印字色Ｃのデータを付随して記憶した文字列がテキストメモリ１２１から読み出され、更にその文字列のドットパターンデータが印字データバッファ１２５に展開される（Ｓ115 ）。次に、カセットカバー３が閉じていないときには（Ｓ116：No）、カセットカバー３を閉じる旨のメッセージがディスプレイ５に表示される（Ｓ119 ）。そして、カセットカバー３が閉じられたときには（Ｓ116 ：Yes ）、印字テープ２２の先端がテープ検出センサ９１に対応するまで、テープ駆動モータ４４が１ステップだけ正回転駆動され（Ｓ117 ・Ｓ118 ：No）、テープ検出信号ＴＳが「Ｌ」レベルになり、印字テープ２２の先端がテープ検出センサ９１に対応したときには、印字テープ２２に対する印字開始基準原点位置がサーマルヘッド１２の印字位置に対応しており（Ｓ118 ：Yes ）、この制御を終了して、印字処理制御のＳ65にリターンする。
【０１０７】
次に、印字処理制御において、色数Ｎが１つデクリメントされ（Ｓ65）、色数Ｎが「１」でなく最終回の印字でないときには（Ｓ61：No）、Ｓ62〜Ｓ65が繰り返して実行される。このことにより、各ファイル番号に対応するテキストデータおいて最終色が設定されたキャラクタを除くキャラクタが印字テープ２２に印字される。そして、色数Ｎが「１」となり、最終回の印字のときには（Ｓ61：Ｙｅｓ）、最終色印字処理・切断処理制御（図１８参照）が実行される（Ｓ６６）。
【０１０８】
この制御においては、前余白量Ｌが印字・切断間距離Ｄｃｐよりも大きい第１の場合と、前余白量Ｌが印字・切断間距離Ｄｃｐよりも小さい第２の場合とに区別して、印字しながらテープ切断を実行することになる。
【０１０９】
先ず、第１の場合について説明すると、前余白量Ｌが印字・切断間距離Ｄｃｐ以上のときには（Ｓ120 ：Yes ）、切断処理制御（図１９参照）が実行される（Ｓ121 ）。
【０１１０】
この制御が開始されると、先ず、テープ駆動モータ４４の正回転駆動により、印字・切断間距離Ｄｃｐだけ印字テープ２２が送り方向Ｔに移送され（Ｓ141 ）、テープ駆動モータ４４の駆動が停止されてテープ移送が停止される（Ｓ142 ）。次に、テープ駆動モータ４４が少しだけ巻き戻し方向に回転されて、切断禁止レバー８４の先端部が切断用レバー８２の下側から外れて切断動作が可能になったときに、印字テープ２２の切断を促すメッセージがディスプレイ５に表示される（Ｓ143 ）。そして、印字テープ２２が切断され、切断検出信号ＣＳが「Ｈ」レベルになり、テープ切断が検出されたときには（Ｓ144 ：Yes ）、最終色印字処理・切断処理制御のＳ122 へリターンする。
【０１１１】
次に、最終色印字処理・切断処理制御において、第１印字・切断処理制御（図２０参照）が実行される（Ｓ122 ）。この制御が開始されると、先ず、前余白量Ｌの不足分（前余白量Ｌ−印字・切断間距離Ｄｃｐ）だけ印字テープ２２が送り方向Ｔに移送される（Ｓ150 ）。そして、前記Ｓ82と同様に読み出したドットパターンデータに基づいて、文字や記号が最終印字色で印字処理される（Ｓ151 ）。次に、印字文字列の後側に後余白量Ｌを設ける為に、テープ駆動モータ４４の正回転駆動により、印字・切断間距離Ｄｃｐに後余白量Ｌを加算した値だけ印字テープ２２が送り方向Ｔに移送され（Ｓ152 ）、前記Ｓ121 と同様の切断処理が実行され（Ｓ153 ）、その後、最終色印字処理・切断処理制御のＳ123 へリターンする。
【０１１２】
次に、最終色印字処理・切断処理制御において、ナンバリングフラグＮＦがリセットされているならば（Ｓ123 ：No）、即ち、入力されたテキストにナンバリング印字が設定されていないならば、この最終色印字処理・切断処理制御及び印字処理制御を終了してテープ作成制御のＳ11へリターンする。
【０１１３】
一方、ナンバリングフラグＮＦが「１」にセット、即ち、入力されたテキストにナンバリング印字が設定されているならば（Ｓ123 ：Yes ）、プリントカウンタＰＫのカウント値が「１」にセットされる（Ｓ124 ）。そして、このプリントカウンタＰＫのカウント数がナンバリングメモリ１２７に格納されているナンバリング数ＮＮと一致しておらず（Ｓ125 ：No）、最終印字色の設定されている文字列のデータがナンバリングの対象となっている文字列であるならば（Ｓ126 ：Yes ）、前記Ｓ87と同様のカウントアップ処理が実行される（Ｓ127 ）。次に、このカウントアップ処理された文字列がテキストメモリ１２１から読み出され、更にその文字列のドットパターンデータが印字データバッファ１２５に展開される（Ｓ128 ）。そして、前記Ｓ122 と同様の第１印字・切断処理が実行され（Ｓ129 ）、プリントカウンタＰＫのカウント値がインクリメントされ（Ｓ130 ）、前記Ｓ125 にリターンする。
【０１１４】
一方、Ｓ126 において、最終印字色の設定されている文字列のデータがナンバリングの対象となっていない文字列であるならば（Ｓ126 ：No）、前記Ｓ129 以降が実行される。
【０１１５】
プリントカウンタＰＫのカウント値がナンバリングメモリ１２７に格納されているナンバリング数ＮＮと一致するまで、前記Ｓ126 〜Ｓ130 の処理が繰り返し実行されるが、一致すると（Ｓ125 ：Yes ）、この最終色印字処理・切断処理制御及び印字処理制御を終了してテープ作成制御のＳ11へリターンする。
【０１１６】
次に、第２の場合について説明すると、前余白量Ｌが印字・切断間距離Ｄｃｐよりも小さいときには（Ｓ120 ：No）、Ｓ131の第２印字・切断処理制御（図２１参照）以降により、最終回の印字処理しながら印字テープ２２の切断が行なわれる。
【０１１７】
この第２印字・切断処理制御が開始されると、先ず、テープ駆動モータ４４を正回転駆動して、前余白量Ｌだけ印字テープ２２が送り方向Ｔに移送される（Ｓ160 ）。次に、印字データバッファ１２５から１ドット列分のドットパターンデータが読み出されて印字処理され、その１ドット列分に対応する微小送り量だけ、テープ駆動モータ４４の正回転駆動により印字テープ２２が移送される（Ｓ161 ）。次に、この最終回の印字開始後のテープ移送量が、印字・切断間距離Ｄｃｐから前余白量Ｌを減算した値よりも小さいとき、つまり切断位置（Ｐ位置）が前余白量Ｌの先頭位置に達していないときには（Ｓ162 ：No）、Ｓ161 〜Ｓ162が繰り返して実行される。
【０１１８】
そして、前余白量Ｌの先頭位置が切断位置に達したときには（Ｓ162 ：Yes ）、印字とテープ移送とが停止され（Ｓ163 ）、その後テープ駆動モータ４４が少しだけ巻き戻し方向に回転されて、切断禁止レバー８４の先端部が切断用レバー８２の下側から外れて切断動作が可能になったときに、印字テープ２２の切断を促すメッセージがディスプレイ５に表示される（Ｓ164 ）。次に、切断用ノブ８５を押圧操作して印字テープ２２が切断され、切断検出信号ＣＳが「Ｈ」レベルになり、テープ切断が検出されたときには（Ｓ165 ：Yes ）、残りのドットパターンデータについて印字する残りの印字処理が実行され（Ｓ166 ）、後余白量Ｌが設けられて（Ｓ167 ）、この制御を終了して、最終色印字処理・切断処理制御のＳ133にリターンする。
【０１１９】
次に、最終色印字処理・切断処理制御において、ナンバリングフラグＮＦがリセットされているならば（Ｓ123 ：No）、即ち、入力されたテキストにナンバリング印字が設定されていないならば、Ｓ121と同様の切断処理制御が実行され（Ｓ140 ）、その後、この最終色印字処理・切断処理制御及び印字処理制御を終了してテープ作成制御のＳ11へリターンする。
【０１２０】
一方、ナンバリングフラグＮＦが「１」にセット、即ち、入力されたテキストにナンバリング印字が設定されているならば（Ｓ132 ：Yes ）、プリントカウンタＰＫのカウント値が「１」にセットされる（Ｓ133 ）。そして、このプリントカウンタＰＫのカウント数がナンバリングメモリ１２７に格納されているナンバリング数ＮＮと一致しておらず（Ｓ134 ：No）、最終印字色の設定されている文字列のデータがナンバリングの対象となっている文字列であるならば（Ｓ136 ：Yes ）、前記Ｓ87と同様のカウントアップ処理が実行される（Ｓ136 ）。次に、このカウントアップ処理された文字列がテキストメモリ１２１から読み出され、更にその文字列のドットパターンデータが印字データバッファ１２５に展開される（Ｓ137 ）。そして、前記Ｓ131 と同様の第２印字・切断処理が実行され（Ｓ138 ）、プリントカウンタＰＫのカウント値がインクリメントされ（Ｓ139 ）、前記Ｓ134 にリターンする。
【０１２１】
一方、Ｓ135 において、最終印字色の設定されている文字列のデータがナンバリングの対象となっていない文字列であるならば（Ｓ135 ：No）、前記Ｓ138 以降が実行される。
【０１２２】
プリントカウンタＰＫのカウント値がナンバリングメモリ１２７に格納されているナンバリング数ＮＮと一致するまで、前記Ｓ135 〜Ｓ139 の処理が繰り返し実行されるが、一致すると（Ｓ134 ：Yes ）、前記Ｓ140 が実行され、その後、この最終色印字処理・切断処理制御及び印字処理制御を終了してテープ作成制御のＳ11へリターンする。
【０１２３】
例えば、最終色が赤色であり、図２３に示すように、赤色の設定されている文字「１」にナンバリングが設定されていたならば、文字「１」が印字された後に印字済みの印字テープ２２が切断され、次に文字「１」がカウントアップされて文字「２」となり、その文字「２」が印字テープ２２に印字される。このように、最終色で印字する文字がナンバリング設定されている文字ならば、カウントアップされた文字の印字と印字テープ２２の切断とが交互に行われる。
【０１２４】
また、最終色が緑色である場合、図２３に示すように、緑色の設定されている文字「Ａ」はナンバリングが設定されていないので、文字「Ａ」の印字と印字テープ２２の切断とが交互に行われる。
【０１２５】
この最終色印字処理・切断処理制御の実行により、例えば、図２３に示すように、入力したテキスト「部品  Ａ  Ｎｏ．１」について、前後余白量Ｌを夫々設けて文字列「部品」及び「Ｎｏ．」が黒で、文字列「Ａ」が緑で、文字列「１」が黒で夫々印字されたテープ状ラベル２２Ａが得られる（図２４参照）。そして文字列「１」にナンバリンがの指定されているならば、この文字列「１」がカウントアップされてなるテキスト「部品  Ａ  Ｎｏ．２」の印字されたテープ状ラベル２２Ｂも得られる。
【０１２６】
尚、制御装置ＣＤが、印字処理制御を実行することにより本発明の印字制御手段が構成され、上記設定色印字処理制御のＳ86〜Ｓ90、及び最終色印字・切断処理制御のＳ125 〜Ｓ129 並びにＳ135 〜Ｓ138 を実行することにより請求項２に係る更新印字制御手段が構成され、設定色印字処理制御のＳ86、Ｓ89〜Ｓ90、及び最終色印字・切断処理制御のＳ125 、Ｓ129 並びにＳ135 、Ｓ138 を実行することにより請求項２に係る複写印字制御手段が構成され、切断処理制御を実行することにより切断手段が構成される。
【０１２７】
次に、多色印字制御の作用について説明する。
【０１２８】
テキストが入力された後、印字色の色数Ｎと色順序とを設定する印字色順序設定処理が実行され、更に複数色で印字する各印字色毎の印字対象範囲を設定する処理が実行される。また、ナンバリングの対象文字及びナンバリング数を設定する処理が実行される。
【０１２９】
そして、印字キーが押下されると、先ず、印字開始処理が実行され、リボン検出スイッチ群１０３からのリボン検出信号ＲＳに基づいて、装着されているリボンカセット３０のリボン色Ｒが検知され、そのリボン色Ｒと先頭印字色Ｃとが比較され、これら両色が一致しないときは、印字色の不一致を知らせるエラーメッセージがディスプレイ５に表示されるので、カセットカバー３を開閉してリボンカセット３０を交換する。
【０１３０】
そして、リボン色Ｒと先頭印字色Ｃとを比較した結果、これら両色が一致したときには、その印字色Ｃのデータを付随して記憶した文字列がテキストメモリ１２１から読み出され、サーマルヘッド１２やテープ駆動モータ４４を駆動制御して、前記文字列がナンバリングの対象文字ならば、その文字列をカウントアップさせつつ設定されたナンバリング数分だけ印字テープ２２のの長手方向に連続して印字処理され、ナンバリングの対象文字でなければ、同じ文字列をナンバリング数分だけ印字テープ２２のの長手方向に連続して印字処理される。
【０１３１】
更に、最終色を除く２色目以降の各印字色で印字するその都度、印字開始位置合わせ処理が実行され、装着されているリボンカセット３０のリボン色Ｒと次の印字色Ｃとが比較され、これら両色が一致しないときは、印字色の不一致を知らせるエラーメッセージがディスプレイ５に表示され、またこれら両色が一致したときには、同様に印字色Ｃのデータを付随した文字列についてナンバリング数分だけ印字テープ２２のの長手方向に連続して印字処理される。
【０１３２】
そして、最終色を印字する際には、最終色の印字色が設定されたキャラクタを印字しつつ、１つのテープ状ラベルの印字が完了する毎に、印字テープを切断する旨のメッセージを表示して切断動作を促し、切断が完了すると、印字を再開して次のテープ状ラベルを作成する。この印字及び切断を繰り返すことにより、設定されたナンバリング数分だけ、ナンバリングの設定された文字がカウントアップされた、多色印字されたテープ状ラベルが作成される。
【０１３３】
このように、カウントアップされたテキストを印字したテープ状ラベルを作成する際、カウントアップを伴いながら同じ色に設定されたキャラクタを設定されたナンバリング数分だけ印字テープ２２の長手方向に連続して印字し、印字テープ２２を巻き戻した後、２色目以降の印字色が設定されたキャラクタを同様に印字するので、リボンカセット３０の交換を最低限の回数に減らすことができ、容易に且つ簡単に順次カウントアップされたテキストが印字されたラベルを複数枚作成することができる。
【０１３４】
また、上記テープ状ラベル作成装置は、最終色が設定されたキャラクタを印字しながらラベルを切断する。同一テキストが複数印字された長いラベルを作成し、使用者が挟み等を使って手作業でラベルを一枚一枚切り離すと、切断箇所が斜めになったり、各ラベルの長さが不揃いになる虞があるが、上記ラベル作成装置では、切断箇所が斜めになることが無く、また、各ラベルの長さを揃えることができる。
【０１３５】
さらに、ナンバリング数を設定する際、入力されたテキストと設定されたナンバリング数とから演算された印字長が、予め定められた所定長よりも長くなると、設定されたナンバリング数を無効とし、印字長が所定長よりも短くなるように再度ナンバリング数の設定を行わせるので、色毎の位置ずれが発生することが防止される。
【０１３６】
【発明の効果】
以上説明したことから明かなように、請求項１記載のテープ状ラベル作成装置であれば、入力されたテキストが自動的に更新されたラベルを複数枚作成する際にリボンカセットの交換回数を少なくすることができる。
【０１３７】
また、請求項２記載のテープ状ラベル作成装置であれば、請求項１のものと同様の効果を奏するが、ナンバリングの設定されたキャラクタだけが更新されるので、印字のためのデータを作成する際の効率化が図れる。
【０１３８】
また、請求項３記載のテープ状ラベル作成装置であれば、請求項１のものと同様の効果を奏するが、色毎の位置ずれが発生することが防止される。
【０１３９】
また、請求項４記載のテープ状ラベル作成装置であれば、請求項１のものと同様の効果を奏するが、切断箇所が斜めになることなく、且つ、各ラベルの長さを揃えることができる。
【図面の簡単な説明】
【図１】  テープ状ラベル作成装置の平面図である。
【図２】  印字状態のサーマル印字機構の平面図である。
【図３】  テープ巻き戻し状態の図２相当図である。
【図４】  リボンカセットとテープカセットの背面斜視図である。
【図５】  サーマル印字機構の印字状態における駆動系の平面図である。
【図６】  サーマル印字機構のテープ巻き戻し状態における駆動系の平面図である。
【図７】  テープ状ラベル作成装置の制御系のブロック図である。
【図８】  多色印字制御のルーチンの概略フローチャートである。
【図９】  印字色順序設定処理制御のルーチンの概略フローチャートである。
【図１０】  色毎の印字対象範囲設定処理制御のルーチンの概略フローチャートである。
【図１１】  最終の印字色について残りの文字列設定処理制御のルーチンの概略フローチャートである。
【図１２】  ナンバリング設定処理制御のルーチンの概略フローチャートである。
【図１３】  印字開始処理制御のルーチンの概略フローチャートである。
【図１４】  印字開始処理制御のルーチンの概略フローチャートである。
【図１５】  設定色印字処理制御のルーチンの概略フローチャートである。
【図１６】  印字テープ巻き戻し処理制御のルーチンの概略フローチャートである。
【図１７】  印字開始位置合せ処理制御のルーチンの概略フローチャートである。
【図１８】  最終色印字処理・切断処理制御のルーチンの概略フローチャートである。
【図１９】  切断処理制御のルーチンの概略フローチャートである。
【図２０】  第１印字・切断処理制御のルーチンの概略フローチャートである。
【図２１】  第２印字・切断処理制御のルーチンの概略フローチャートである。
【図２２】  印字位置（Ｐ位置）とテープ切断位置（Ｃ位置）とテープ検出位置（Ｓ位置）との位置関係を説明する説明図である。
【図２３】  テキストメモリ内のデータ構成を説明する説明図である。
【図２４】  赤と緑と黒とで３色印字されたテープ状ラベルの平面図である。
【符号の説明】
１  テープ状ラベル作成装置
４  キーボード
５  液晶ディスプレイ
１０  サーマル印字機構
２２  印字テープ
３０  リボンカセット
８０  テープ切断機構
１１０  ＣＰＵ
１１２  ＲＯＭ
１２０  ＲＡＭ
１２１  テキストメモリ
１２６  ナンバリングメモリ
ＣＤ    制御装置
【図１】
0003787881.tif 000002
【図２】
0003787881.tif 000003
【図３】
0003787881.tif 000004
【図４】
0003787881.tif 000005
【図５】
0003787881.tif 000006
【図６】
0003787881.tif 000007
【図７】
0003787881.tif 000008
【図８】
0003787881.tif 000009
【図９】
0003787881.tif 000010
【図１０】
0003787881.tif 000011
【図１１】
0003787881.tif 000012
【図１２】
0003787881.tif 000013
【図１３】
0003787881.tif 000014
【図１４】
0003787881.tif 000015
【図１５】
0003787881.tif 000016
【図１６】
0003787881.tif 000017
【図１７】
0003787881.tif 000018
【図１８】
0003787881.tif 000019
【図１９】
0003787881.tif 000020
【図２０】
0003787881.tif 000021
【図２１】
0003787881.tif 000022
【図２２】
0003787881.tif 000023
【図２３】
0003787881.tif 000024
【図２４】
0003787881.tif 000025